(57)【要約】【課題】不正利用の機会を低減できる情報処理装置を提供する。【解決手段】利用者の操作を受け入れる操作部を備え、利用者を認証し、認証した利用者からの指示を操作部から受け入れて、当該指示に従い、処理を実行して、処理において、操作部の操作とは関わりなく生じた所定事象に基づき、処理に係る操作の受け入れの許否の条件を所定の条件とするよう制御する情報処理装置である。【選択図】図１
2008065595.tif 000002
【特許請求の範囲】
【請求項１】
利用者の操作を受け入れる操作部と、
利用者を認証し、認証した利用者からの指示を前記操作部から受け入れて、当該指示に従い、処理を実行し、前記処理の終了に基づき、前記処理に係る操作の受け入れを許否するように制御する制御部と、
を含むことを特徴とする情報処理装置。
【請求項２】
前記処理に係る情報を記憶する記憶部を有し、
前記制御部は、前記処理に関わる情報を削除することを特徴とする請求項１に記載の情報処理装置。
【請求項３】
前記制御部は、前記処理に係る操作の受け入れを拒否するように制御した後は、前記利用者とは異なる利用者による前記処理に関わる情報に係る操作を拒否するように制御することを特徴とする請求項２に記載の情報処理装置。
【請求項４】
前記制御部は、前記処理を指示した利用者を再度承認した場合に前記記憶部に記憶されている前記処理に関わる情報に対する指示を可能とするように制御することを特徴とする請求項３に記載の情報処理装置。
【請求項５】
前記制御部は、操作の対象となる処理の種別に応じて操作の受け入れ拒否をするように制御することを特徴とする請求項１から４のいずれか一項に記載の情報処理装置。
【請求項６】
前記処理の終了が、前記処理の中断による終了を含むことを特徴とする請求項１から５のいずれか一項に記載の情報処理装置。
【請求項７】
電子計算機に、
操作部を介して利用者の操作を受け入れる手順と、
利用者を認証し、認証した利用者からの指示を前記操作部から受け入れて、当該指示に従い、処理を実行する手順と、
前記処理の終了に基づき、前記処理に係る操作の受け入れの許否の条件を所定の条件とするよう制御する手順と、
を実行させることを特徴とする情報処理命令列。
【請求項８】
利用者の操作を受け入れる操作部と、
利用者を認証し、認証した利用者からの指示を前記操作部から受け入れて、当該指示に従い処理を実行し、前記操作部の操作が行われない時間が所定時間に達したこと、及び前記処理が終了したことのいずれかを検出したときに、前記処理に係る操作の受け入れを拒否するように制御する制御部と、
を含み、
前記制御部は、前記処理が終了した場合は前記所定時間に達する前であっても前記処理に係る操作の受け入れを拒否するように前記処理部を制御することを特徴とする情報処理装置。
【請求項９】
利用者の操作を受け入れる操作部と、
利用者を認証し、認証した利用者からの指示を前記操作部から受け入れて、当該指示に従い処理を実行し、前記操作部の操作が行われない時間が所定時間に達すること、及び前記処理が中断されたことのいずれかを検出したときに、前記処理に係る操作の受け入れを拒否するように制御する制御部と、
を含み、
前記制御部は、前記処理が中断した場合は前記所定時間に達する前であっても前記処理に係る操作の受け入れを拒否するように前記処理部を制御することを特徴とする情報処理装置。
【請求項１０】
前記処理が終了する前に新たな指示を前記操作部から受け入れた場合には、前記処理が終了しても前記処理に係る操作の受け入れを拒否しないことを特徴とする請求項１または請求項８に記載の情報処理装置。
【発明の詳細な説明】
【技術分野】
【０００１】
本発明は、情報処理装置及び情報処理命令列に関する。
【背景技術】
【０００２】
複数の利用者が共同利用する情報処理装置として、種々の端末装置や、銀行などの現金自動預け払い端末（ＡＴＭ）、複写機能やスキャナ機能、プリンタ機能など複数の機能を複合的に備えている、いわゆる複合機などがある。
【０００３】
なお、特許文献１には、ユーザを強制的にログオフするオートログオフが動作した場合には、上記オートログオフが動作する時間を短縮する技術が開示されている。
【特許文献１】特開２００５−１４１５４９号公報
【発明の開示】
【発明が解決しようとする課題】
【０００４】
本発明は操作部の操作がされない時間が所定の時間に達することのみによって操作の受入を制御する場合と比べて、不正利用の機会を低減できる情報処理装置を提供することを、その目的の一つとする。
【課題を解決するための手段】
【０００５】
本発明の一態様は、情報処理装置であって、利用者の操作を受け入れる操作部と、利用者を認証し、認証した利用者からの指示を前記操作部から受け入れて、当該指示に従い、処理を実行し、前記処理の終了に基づき、前記処理に係る操作の受け入れを許否するように制御する制御部と、を含むことを特徴としている。
【０００６】
ここで前記処理に係る情報を記憶する記憶部を有し、前記制御部は、前記処理に関わる情報を削除することとしてもよい。
【０００７】
また、前記制御部は、前記処理に係る操作の受け入れを拒否するように制御した後は、前記利用者とは異なる利用者による前記処理に関わる情報に係る操作を拒否するように制御してもよい。
【０００８】
さらに、前記制御部は、前記処理を指示した利用者を再度承認した場合に前記記憶部に記憶されている前記処理に関わる情報に対する指示を可能とするように制御することとしてもよい。
【０００９】
さらに前記制御部は、操作の対象となる処理の種別に応じて操作の受け入れ拒否をするように制御することとしてもよい。
【００１０】
さらに前記処理の終了が、前記処理の中断による終了を含むこととしてもよい。
【００１１】
また本発明の一態様に係る情報処理命令列は、電子計算機に、操作部を介して利用者の操作を受け入れる手順と、利用者を認証し、認証した利用者からの指示を前記操作部から受け入れて、当該指示に従い、処理を実行する手順と、前記処理の終了に基づき、前記処理に係る操作の受け入れの許否の条件を所定の条件とするよう制御する手順と、を実行させることを特徴としている。
【００１２】
さらに本発明の一態様に係る情報処理装置は、利用者の操作を受け入れる操作部と、利用者を認証し、認証した利用者からの指示を前記操作部から受け入れて、当該指示に従い処理を実行し、前記操作部の操作が行われない時間が所定時間に達したこと、及び前記処理が終了したことのいずれかを検出したときに、前記処理に係る操作の受け入れを拒否するように制御する制御部と、を含み、前記制御部は、前記処理が終了した場合は前記所定時間に達する前であっても前記処理に係る操作の受け入れを拒否するように前記処理部を制御することを特徴としている。
【００１３】
また本発明の別の態様に係る情報処理装置は、利用者の操作を受け入れる操作部と、利用者を認証し、認証した利用者からの指示を前記操作部から受け入れて、当該指示に従い処理を実行し、前記操作部の操作が行われない時間が所定時間に達すること、及び前記処理が中断されたことのいずれかを検出したときに、前記処理に係る操作の受け入れを拒否するように制御する制御部と、を含み、前記制御部は、前記処理が中断した場合は前記所定時間に達する前であっても前記処理に係る操作の受け入れを拒否するように前記処理部を制御することを特徴としている。
【００１４】
また前記処理が終了する前に新たな指示を前記操作部から受け入れた場合には、前記処理が終了しても前記処理に係る操作の受け入れを拒否しないこととしてもよい。
【発明の効果】
【００１５】
請求項１の発明によると、操作部の操作以外の原因によっても、操作の受け入れに係る状態を変更し本構成を有さない場合に比べて、不正利用の機会を低減できる。
【００１６】
請求項２の発明によると、本構成を有さない場合に比べて、処理に関わる情報に対する不正利用の機会を低減できる。
【００１７】
請求項３の発明によると、本構成を有さない場合に比べて、新たに承認した利用者による不正利用の機会を低減できる。
【００１８】
請求項４の発明によると、本構成を有さない場合に比べて、再度認証された利用者の利便性を向上させることができる。
【００１９】
請求項５の発明によると、本構成を有さない場合に比べて、操作の対象となる処理の種別に応じた不正利用の機会を低減できる。
【００２０】
請求項６の発明によると、本構成を有さない場合に比べて、処理の中断中における不正利用の機会を低減できる。
【００２１】
請求項７の発明によると、本構成を有さない場合に比べて、不正利用の機会を低減できる仕組みを、電子計算機を用いて実現できる。
【００２２】
請求項８の発明によると、本構成を有さない場合に比べて、操作部の非操作時間が所定時間に達する前であっても処理の終了後における不正利用の機会を低減できる。
【００２３】
請求項９の発明によると、本構成を有さない場合に比べて、操作部の非操作時間が所定時間に達する前であっても処理の中断中における不正利用の機会を低減できる。
【００２４】
請求項１０の発明によると、本構成を有さない場合に比べて、処理ごとの認証が不要となるため、利用者の利便性を向上させることができる。
【発明を実施するための最良の形態】
【００２５】
本発明の実施の形態について図面を参照しながら説明する。本発明の実施の形態に係る情報処理装置は、例えば上述の複合機であって、その一例は、図１に示すように、光学的読取装置（スキャナ）部１０と、中央装置部２０と、画像形成装置（プリンタ）部３０とを含んでなる。また、中央装置部２０は、図２に示すように、制御部２１、記憶部２２、操作部２３、表示部２４、情報仲介部（インタフェース部）２５、及び通信部２６を含む。
【００２６】
スキャナ部１０は、画像の形成された媒体を光学的に読み取り、読み取りによって得られた画像データを出力する。
【００２７】
中央装置部２０の制御部２１は、ＣＰＵ（Central Processing Unit）など、情報処理命令列（プログラム）に従って動作するものであり、電子計算機可読な記録媒体である記憶部２２、またはＣＤ−ＲＯＭ（Compact Disc Read Only Memory）等の電子計算機可読な記録媒体に格納された情報命令列に従って動作する。本実施の形態では、この制御部２１は、操作部２３にて行われる操作によって利用者を認証し、認証した利用者からの指示を受けて、スキャナ部１０やプリンタ部３０を制御して、スキャンや複写、プリントなどの処理を実行する。また、この制御部２１は、規定された条件に従い、利用者からの操作の受け入れ状態を変更する。これら制御部２１の具体的な処理の内容については、後に詳しく述べる。
【００２８】
記憶部２２は、ＲＡＭ（Random Access Memory）や、ＲＯＭ（Read Only Memory）等の記憶素子を備え、制御部２１によって実行されるプログラムを保持している。この記憶部２２には、また、予め登録された利用者の情報（例えば利用者名とそれに関連づけられたパスワード情報）が保持される。
【００２９】
操作部２３は、例えば表示部２４に重ね合わせて配置された透明電極を含むタッチパネルや、テンキー、スイッチなどであり、利用者の操作を受け入れて、当該操作の内容を制御部２１に出力する。表示部２４は、例えば液晶ディスプレイ等であり、制御部２１から入力される指示に従って、情報を表示する。
【００３０】
インタフェース部２５は、スキャナ部１０及びプリンタ部３０に接続されており、スキャナ部１０からは、スキャナ部１０が読み取って得た画像データの入力を受け入れ、制御部２１に出力する。また、このインタフェース部２５は、制御部２１から入力される指示に従い、画像形成指示や、形成の対象となる画像データ等をプリンタ部３０に対して出力する。
【００３１】
通信部２６は、ネットワークインタフェースなどであり、ネットワークなどの通信手段を介して受信されるデータを制御部２１に出力する。また、この通信部２６は、制御部２１から入力される指示に従い、指定された宛先へデータを送出する。
【００３２】
プリンタ部３０は、中央装置部２０から入力される画像形成指示及び形成の対象となる画像データに基づいて、用紙などの記録媒体上に、当該形成の対象となる画像データを形成する。
【００３３】
本実施の形態の情報処理装置としての複合機では、制御部２１は、まず利用者を認証する。例えば表示部２４に、利用者名とパスワードとを入力するよう求めるメッセージを表示し、操作部２３から利用者名とパスワードとの入力を受け入れる。
【００３４】
制御部２１は、ここで入力された利用者名とパスワードとが、記憶部２２に互いに関連づけて保持されているか否かを調べ、関連づけて保持されていれば認証がされたものとして、実行するべき処理の指示を受け付ける画面を表示部２４に表示する。
【００３５】
ここでは複合機による処理として、例えばスキャンや複写などの指示を受け入れることになる。そして受け入れた指示に従って制御部２１は、スキャナ部１０やプリンタ部３０等を制御し、画像データの読み取りや、印刷、送信などの処理を遂行する。
【００３６】
例えば複写の指示がされた場合は、利用者から、複写に係る処理パラメータとして、複写枚数や、拡大縮小倍率、カラー／モノクロの別などの入力を受け入れて、記憶部２２に保持させる。そして、利用者がスタートの指示を行うと、スキャナ部１０に対して画像の読み取りを開始させ、スキャナ部１０にて読み取った画像データを逐次的に記憶部２２に格納する。また制御部２１は、ここで格納された画像データに対して順次、設定された拡大縮小率で拡大縮小するなどの画像処理を実行し、画像処理後の画像データを、プリンタ部３０へ送出して、設定された複写枚数分だけの画像形成処理を行わせる。
【００３７】
また、本実施の形態の制御部２１は、これらの処理において、操作部２３において行われた操作とは関わりなく生じた所定事象に基づき、処理に係る操作の受け入れの許否の条件を所定の条件に設定する。例えば、処理の終了（プリントであれば、ジョブの終了）の事象が発生すると、制御部２１は、記憶部２２に格納した処理パラメータや、処理時に読み取って記憶部２２に格納した画像データなどを、記憶部２２から削除して、認証前の状態（認証を求める表示を行っている状態）に移行し、スキャンや複写など、認証以外の処理に係る操作の受け入れを行わないこととしてもよい。
【００３８】
また、制御部２１は、記憶部２２に格納した処理パラメータや、処理時に読み取って記憶部２２に格納した画像データなどを、記憶部２２に保持したままで、スキャンや複写など、認証以外の処理に係る操作の受け入れを行わないこととしてもよい（スクリーンロック処理）。このようにする場合、制御部２１は、認証した利用者の利用者名とパスワードを現利用者情報として記憶部２２に保持しておく。そして、このスクリーンロック処理において、認証のために入力された利用者名とパスワードとが、記憶部２２に保持されている現利用者情報に一致するか否かを調べる。ここで入力された利用者名とパスワードとが現利用者情報に一致すれば（つまり利用者を再度承認したときには）、制御部２１は、スクリーンロック処理前に行っていた処理に関わる情報に対する指示を可能とするように制御する。例えば処理時に読み取って記憶部２２に格納した画像データなどを、記憶部２２に保持したままで、スキャンや複写など、認証以外の処理に係る操作の受け入れを再開する。
【００３９】
ここで入力された利用者名とパスワードとが現利用者情報に一致しない場合、「他の利用者が使用中です」のようなメッセージを表示して、認証以外の処理に係る操作の受け入れを拒否してもよい。つまり、スクリーンロック処理によって操作の受け入れを拒否するように制御した後は、現利用者とは異なる利用者により、現利用者が行わせていた処理の対象となる（または現利用者による処理の対象となり得る）情報を対象とした操作を拒否するように制御する。
【００４０】
また、入力された利用者名とパスワードとが現利用者情報に一致しない場合、当該入力された利用者名とパスワードとが互いに関連づけられて記憶部２２に格納されているか否かを調べ、格納されていれば、記憶部２２に格納した処理パラメータや、処理時に読み取って記憶部２２に格納した画像データなどを、記憶部２２から削除して、ここで利用者名等を入力した利用者に対して、認証以外の処理に係る操作（スキャンや複写等の操作）の受け入れを開始してもよい。
【００４１】
さらに、ここまでの説明では、処理が終了した後に、認証以外の処理に係る操作の受け入れを行わないこととしていたが、操作の対象となる処理の種別に応じた条件で受け入れの許否を決定してもよい。この条件では、例えば複写の指示については受け入れるが、スキャンなどの指示を受け入れないこととしてもよい。
【００４２】
さらに制御部２１は、時間経過に伴って、操作の受け入れに係る条件を変更してもよい。例えば、上述のスクリーンロック処理を開始した時点から、予め定めた一定の時間が経過したときに、記憶部２２に格納した処理パラメータや、処理時に読み取って記憶部２２に格納した画像データなどを、記憶部２２から削除して、認証前の状態に移行してもよい。
【００４３】
なお、ここまでの説明では、操作の受け入れ条件が変更される原因として、処理の終了を例として説明したが、本実施の形態の情報処理装置における操作の受け入れ条件が変更される原因は、これに限られない。例えば、処理の終了に代えて／または処理の終了とともに、処理の中断を要する事象が生じた場合とすることもできる。ここで処理の中断を要する事象とは例えば、本実施の形態の例の複合機の場合、プリンタ部３０における用紙ぎれ等の事象がある。
【００４４】
このように処理の中断を要する事象として予め定めた事象が生じた場合に、操作の受け入れ条件を変更してもよい。
【００４５】
また、例えば、操作部２３において利用者が最後に操作を行った時点からの時間を計時し、この計時している時間が予め定めた所定時間に達した場合にログアウトの処理を行うこととし、処理の終了や、中断の事由が生じたことなどを検出した際には、スクリーンロック処理を行うこととしておいてもよい。この場合、操作部での操作が行われない時間が所定時間に達していないうちは、処理が終了したり、あるいは処理が中断した場合も、処理に関わる操作の受け入れを拒否するようになる。
【００４６】
なお、制御部２１は、認証した利用者から指示された一つの処理が完了する前に、次の処理の操作が行われた場合、当該次の処理が完了するまでは、操作の受け入れ条件を変更しなくてもよい。例えば、利用者がまずスキャンの処理を指示した後、スキャンの処理が行われている間に、さらに複写の指示を行った場合、複写の処理が完了してから、上述のように、認証前の状態に移行するなど、操作の受け入れ条件を変更することとしてもよい。
【００４７】
［文書管理］
また、本実施の形態の情報処理装置としての制御部２１は、文書管理機能としての処理を実行してもよい。すなわち、利用者がスキャナ部１０にて読み取ったり、または電子計算機（パーソナルコンピュータなど）からネットワーク等の通信手段を介して送信した画像データを、文書として、利用者を特定する情報に関連づけて記憶部２２に蓄積し、利用者の印刷などの用に供してもよい。
【００４８】
この場合、ある利用者の文書が、他の利用者の閲覧や印刷に供されることのないよう、認証した利用者に関連づけられた文書についてのみ、印刷や表示、送信等の処理対象の候補として利用者に提示される。利用者は、この候補から処理の対象を選択する操作を行うこととなる。
【００４９】
このように、文書管理機能としての処理を制御部２１が実行する場合は、処理の終了など、操作部２３において行われた操作とは関わりない所定事象が生じたときに、操作の受け入れの条件を変更し、特定の利用者による操作の受け入れ許否の条件とする。例えば、事前に定めた「ゲスト」利用者の操作の受け入れ許否の条件とする。つまり、例えば利用者Ａが使用している間に、上記所定事象が生じると、ゲスト利用者の操作の受け入れ許否条件が設定される。これにより処理の対象として利用者Ａの文書が提示されないようになる。
【００５０】
さらに、ここまでの説明では操作部２３での操作に関わらない事象としたが、例えば操作部２３において予め定めた一定時間以上操作が行われなかったとの事象によって、操作の受け入れ条件を変更してもよい。また利用者が処理を一時停止する操作を行ったとの事象によって、操作の受け入れ条件を変更してもよい。
【００５１】
また複数の原因によって、このように操作の受け入れ条件を変更する場合は、図３に示すように原因ごとに、操作の受け入れ条件をどのようにするかを設定する条件設定テーブルを記憶部２２に格納しておいてもよい。制御部２１は、条件設定テーブルに含まれる原因となる事象が生じると、当該原因に対応して定められている操作の受け入れ条件にて、操作を受け入れる。
【００５２】
例えば、処理が終了した場合には、それまでに利用者が設定して記憶部２２に保持されている処理パラメータなどを削除して、認証の操作のみを受け入れる状態に移行してもよい（ログアウトの処理）。
【００５３】
また、用紙切れなど、処理の中断を要する事象に対しては、それまでに利用者が設定して記憶部２２に保持されている処理パラメータや画像データなどを記憶部２２に保持したままで、認証の操作のみを受け入れる状態に移行してもよい（上述のスクリーンロック処理など）。
【００５４】
さらに、この条件設定テーブルには、一定時間経過後に、条件を変更する旨の指定を含んでもよい。例えば、用紙切れなど、処理の中断を要する事象が生じたときにスクリーンロック処理を実行し、さらに所定の時間が経過したときにログアウトの処理を実行するようにしてもよい。
【００５５】
すなわち、本実施の形態の情報処理装置の制御部２１は、図４に示すように、まず利用者を認証し（Ｓ１）、当該認証した利用者から処理に係る操作を受け入れると（Ｓ２）、処理を開始する（Ｓ３）。また、制御部２１は、処理に関係して入力ないし取得した情報を記憶して（Ｓ４）、処理を続ける。制御部２１は、処理に係っている間、当該処理の終了や、あるいは処理を中断するべき事由など、予め定められている、所定の事象が生じたか否かを判断し（Ｓ５）、所定の事象が生じていない場合は、処理を続ける。
【００５６】
また、処理Ｓ５において、所定の事象が生じたと判断されたときには、当該生じた事象に関連づけて予め定められている操作の受け入れ条件（操作の制限態様）を参照して、処理中に記憶した、処理に関係する情報を削除するか否かを判断する（Ｓ６）。ここで、処理に関係する情報を削除するべき条件となっているときには、処理に関する情報を削除し（Ｓ７）、当該生じた事象に関連づけて予め定められている操作の受け入れ条件（操作の制限態様）に基づいて操作を制限する（Ｓ８）。
【００５７】
本実施の形態では、操作部での操作だけでなく、例えば処理の終了などの事情（処理の中断などを含む）が検出されたときにも、ログアウトやスクリーンロックなどが行われて、操作が制限される。このため、操作部の操作がされない時間が所定の時間に達することのみによって操作の受入を制御する場合と比べて、不正利用の機会を低減できる。
【図面の簡単な説明】
【００５８】
【図１】本発明の実施の形態に係る情報処理装置の一例を表す構成ブロック図である。
【図２】本発明の実施の形態に係る情報処理装置の中央装置の構成例を表すブロック図である。
【図３】本発明の実施の形態に係る情報処理装置において記録される条件設定テーブルの内容例を表す説明図である。
【図４】本発明の実施の形態に係る情報処理装置の情報処理命令列に従った処理例を表す流れ図である。
【符号の説明】
【００５９】
１０  スキャナ部、２０  中央装置部、２１  制御部、２２  記憶部、２３  操作部、２４  表示部、２５  インタフェース部、２６  通信部、３０  プリンタ部。
【図１】
2008065595.tif 000003
【図２】
2008065595.tif 000004
【図３】
2008065595.tif 000005
【図４】
2008065595.tif 000006